(57)【要約】【課題】建物の外壁が日射を受けて蓄熱することによる高温化を回避できる建物の外壁構造の提供を図る。【解決手段】建物の外壁面１Ａに対する日射はガラリ２で遮光され、外壁面１Ａが直射光により高温化するのが回避される。ガラリ２自体は熱伝導性が優れるため放熱効果が高く、高温化することはない。しかも、外気がガラリ２の羽根板４，４間を通って、ガラリ２と外壁面１Ａとの間の通気路Ｓを抜けて外壁面１Ａに沿って上昇気流となる流通経路が形成されるので、ガラリ２と外壁面１Ａの冷却効果が得られ、外壁１が日射を受けて蓄熱することによる高温化を回避できる。【選択図】図２
2012224988.tif 000002
【特許請求の範囲】
【請求項１】
平行に傾斜して配設した複数の羽根板を備えたガラリを、熱伝導性に優れた金属材料で構成し、
前記ガラリを、日射に対して前記羽根板により遮光可能な向きにして建物の外壁面を覆って配設し、かつ、
前記ガラリと、前記外壁面との間に、所要間隙の通気路を設定したことを特徴とする建物の外壁構造。
【請求項２】
前記ガラリは、その複数個を連設状態にして前記建物の外壁面に配設したことを特徴とする請求項１に記載の建物の外壁構造。
【請求項３】
前記ガラリは、背面側に前記建物の外壁面に離間して固定するためのブラケットを備えていることを特徴とする請求項１または２に記載の建物の外壁構造。
【発明の詳細な説明】
【技術分野】
【０００１】
本発明は、オフィスビルや集合住宅、および一般家屋等の各種建物の外壁構造に関する。
【背景技術】
【０００２】
特許文献１および特許文献２には、建物の外壁にガラリを組付けた技術が開示されている。
【先行技術文献】
【特許文献】
【０００３】
【特許文献１】特開２００２−２１４４８号公報
【特許文献２】特開平７−２４３２８５号公報
【発明の概要】
【発明が解決しようとする課題】
【０００４】
都市部のように、中・高層の建物が密集した地域では、夏期におけるヒートアイランド化が問題となっている。
【０００５】
これは、建物の外壁が日射を受けて蓄熱することが一因と考えられ、この蓄熱により周辺の外気温度が上昇することと、その反動で屋内空調装置の冷房温度を低温設定することとの相乗によって引き起こされるものと考えられる。
【０００６】
ところが、特許文献１および特許文献２の開示技術は、何れも建物の外壁に間口の広い開口部分を設けて、この開口部分にガラリを組付けることによって、屋内の換気を可能とした構造であり、外壁の蓄熱による高温化の抑制効果は全く無い。
【０００７】
そこで、本発明は建物の外壁が日射を受けて蓄熱することによる高温化を回避することができる建物の外壁構造を提供するものである。
【課題を解決するための手段】
【０００８】
本発明の建物の外壁構造にあっては、平行に傾斜して配設した複数の羽根板を備えたガラリを、熱伝導性に優れた金属材料で構成し、このガラリを、日射に対して羽根板により遮光可能な向きにして建物の外壁面を覆って配設し、かつ、これらガラリと建物の外壁面との間に、所要間隙の通気路を設定したことを主要な特徴としている。
【発明の効果】
【０００９】
本発明によれば、建物の外壁面に対する日射はガラリで遮光されるため、外壁面が直射光を受けて昇温するのが回避される。
【００１０】
ガラリは熱伝導性に優れているため放熱効果が高く、ガラリ自体が高温化することはない。
【００１１】
しかも、外気がガラリの羽根板間を通って、ガラリと外壁面との間の通気路に抜けて外壁面に沿って上昇気流となる流通経路が形成される。これにより、ガラリはもとより外壁面の冷却効果が得られ、外壁が日射を受けて蓄熱することによる高温化を回避することができる。
【００１２】
この結果、中・高層の建物が密集する都市部にあっても、ヒートアイランド化を抑制できると共に、大幅な節電を促すことができる。
【図面の簡単な説明】
【００１３】
【図１】本発明の一実施形態におけるガラリを示す略示的斜視図。
【図２】図１のＡ−Ａ線に沿う断面図。
【発明を実施するための形態】
【００１４】
以下、本発明の一実施形態を図面と共に詳述する。
【００１５】
図１，図２に示す本実施形態の外壁構造は、建物の外壁１の外壁面１Ａを覆ってガラリ２を配設してある。
【００１６】
このガラリ２は、建物の窓部を除く全ての外壁面１Ａに設けてもよいが、北面は日射の影響をあまり受けないので北面以外の部分に設けるようにしてもよい。
【００１７】
ガラリ２は、例えば、アルミニウム，アルミ合金等の軽量で、かつ、耐蝕・耐候性のある熱伝導性に優れた金属材料からなり、方形の外枠３と、外枠３の内側に平行に傾斜して配設した複数の羽根板４と、を備えている。
【００１８】
また、このガラリ２は外壁面１Ａに対する装着作業性や、輸・搬送等に支障を来すことのない適宜のサイズに構成され、例えば、背面の４隅部には、外壁面１Ａに取付けるためのブラケット５を備えている。
【００１９】
そして、このガラリ２の複数個を用いて、それぞれを日射に対して羽根板４により遮光可能な向きにして外壁面１Ａを覆って連設状態にして配置し、ブラケット５を介して外壁面１Ａに固定して、これらガラリ２と外壁面１Ａとの間に、所要間隙の通気路Ｓを設定している。
【００２０】
図２に示す例では、羽根板４が上下方向に多段となる向きで、かつ、羽根板４の傾斜下端が外側となる向きにして、ガラリ２を外壁面１Ａに取付けているが、日射の遮光が可能であればガラリ２の全てをこの向きに整合する必要はなく、外気（風）の通り抜けを考慮して部分的に羽根板４が縦向きとなる配置としてもよい。
【００２１】
ブラケット５は、ボルト挿通孔５ａを通して外壁１にボルトによるねじ込み固定でもよいが、好ましくは、ケミカルアンカーによって取付けボルトを外壁１の穿孔に接着固定するとよい。
【００２２】
また、図１に示すように、外枠３の隅部にジョイント孔６を設けて、隣接するガラリ２同士を、このジョイント孔６を介して図外のジョイント部材によって連結するようにしてもよい。
【００２３】
以上の構成により本実施形態の外壁構造によれば、建物の外壁面１Ａに対する日射はガラリ２で遮光されるため、外壁面１Ａが直射光を受けて昇温するのが回避される。
【００２４】
ガラリ２は熱伝導性に優れているため放熱効果が高く、ガラリ２自体が高温化することはない。
【００２５】
しかも、外気が図２の矢印で示すようにガラリ２の羽根板４，４間を通って、ガラリ２と外壁面１Ａとの間の通気路Ｓに抜けて外壁面１Ａに沿って上昇気流となる流通経路が形成される。これにより、ガラリ２はもとより外壁面１Ａの冷却効果が得られ、外壁１が日射を受けて蓄熱することによる高温化を回避することができる。
【００２６】
この結果、中・高層の建物が密集する都市部にあっても、ヒートアイランド化を抑制することができる。また、これに伴って屋内空調装置の使用頻度および冷房温度を低温設定できるので、大幅な節電効果を期待することができる。
【００２７】
なお、前記実施形態では、ガラリ２を軽量で外壁１の重量ストレスが少ないアルミ系材料を用いたが、これに限定されるものでなく、比較的に軽量で、かつ、熱電導性に優れた金属材料であればよい。
【００２８】
また、本発明は建物の側面外壁の他、天井外壁に適用できることは勿論である。
【符号の説明】
【００２９】
１…建物の外壁
１Ａ…外壁面
２…ガラリ
４…羽根板
５…ブラケット
Ｓ…通気路
【図１】
2012224988.tif 000003
【図２】
2012224988.tif 000004